(57)【要約】【課題】折り畳み地図は縦と横の折り目が重なる部分から破ける、狭い車内等での取り扱いが容易にできない等が課題であり、一方の冊子の地図は同頁内に表記できない部分が他の頁に跳んでしまい、距離や位置関係が分かりにくいことが課題であった。【解決手段】請求項１は、折り畳み地図のそれぞれの横の折り目の想定線の一部分を除いて切り離し、切り離したそれぞれの面ごとに折り畳む形とする。又、請求項２は折り畳み地図のそれぞれの横の折り目の想定線の全てを切り離して分割した状態に作り、この分割した地図の裏面の一部に継ぎ手を用いて一枚の地図として貼着する。これらの手段により折り畳み地図の縦と横の折り目が重なる部分を無くし課題を解決した。【選択図】  図１
2007086388.tif 000002
【特許請求の範囲】
【請求項１】
折り畳んで収納及び携帯するタイプの地図の、横の折り目の想定線のそれぞれの一部分を除いて横の辺と平行に切り離し、切り離したそれぞれの面ごとに折り畳むことを特徴とする折り畳み地図。
【請求項２】
折り畳んで収納及び携帯するタイプの地図の、それぞれの横の折り目の想定線の全てを横の辺と平行に切り離して分割した状態に作り、この分割した状態の地図のそれぞれの裏面の一部に、折り曲げ可能な継ぎ手を用い一枚の地図としての繋がりをもって貼着し、分割したそれぞれの面ごとに折り畳むことを特徴とする折り畳み地図。
【発明の詳細な説明】
【技術分野】
【０００１】
本発明は、紙面等に印刷して用いる地図に関するものである。
【背景技術】
【０００２】
従来の地図には、一枚の紙面に印刷したものを折り畳んで収納、及び携帯するタイプのものと冊子のものがある。
【特許文献１】特開平１０−３２４０７８
【発明の開示】
【発明が解決しようとする課題】
【０００３】
しかし、紙面等に印刷する従来の地図は、何れも宿命的な課題を抱えている。折り畳んで収納及び携帯するタイプの地図は、縦と横の折り目が重なる部分から破ける、狭い車内等での利用が容易にできない等が課題とされ、一方の冊子の地図は、同頁内に表記できない縦方向の部分が他の頁に跳んで緯度を無視した表記になってしまい、距離や位置関係等が把握しにくい不便なものであった。従って本発明はこれらの不便を解決することを課題とする。   
【課題を解決するための手段】
【０００４】
この課題を解決するため請求項１は、横の折り目の想定線のそれぞれの一部分を除いて横の辺と平行に切り離し、切り離したそれぞれの面ごとに折り畳むことを特徴とする。尚、切り離す部分、及び切り離さずに残し継ぎ手として用いる部分の巾は、それぞれの面を折り畳む際の厚みに応じた巾とする。従ってこの方法は薄手の地図、厚手の地図の何れにも用いることができる。
【０００５】
この課題を解決するため請求項２は、それぞれの横の折り目の想定線の全てを切り離して分割した状態に作り、この分割した状態の地図のそれぞれの面の裏面の一部に折り曲げ可能な継ぎ手を用い、一枚の地図としての繋がりを保って貼着し、それぞれの面ごとに折り畳むことを特徴とする。
【０００６】
この請求項２記載の継ぎ手部分は、紙等の折り曲げ可能な材質で部分的に作る、若しくは表紙を設けて表紙の一部を継ぎ手として用いる方法を適宜用いる。尚、部分的な継ぎ手は表紙を必要としない比較的厚手の地図を用いる場合に適し、表紙の一部を継ぎ手と兼ねる方法は、比較的薄手の地図を用いる場合に適した方法である。  
【発明の効果】
【０００７】
本発明の効果は、折り畳み地図の横の折り目の想定線を切り離すことにより、従来からの宿命的課題である折り目から破ける課題を解決し、狭い車内等でも取り扱いやすく、不慣れな人にも分かりやすい地図を提供できることである。
【０００８】
その具体的効果は、ドライブの必需品となったカーナビを使う際に本発明が顕著な効果を発揮する。 カーナビを効果的に使うためには、広域地図で複数のルートを想定し、選択した経路に中継地点を設け、その中継地点を繋いで目的地へ行く方法が最も効果的である。即ちカーナビを効果的に使うためには、狭い車内等での使い勝手が良く、しかも分かりやすい地図が必要不可欠なものである。
【０００９】
そのため請求項１及び請求項２によれば、地図の横の辺と平行に数枚に切り離し、若しくは数枚に分割したそれぞれの面ごとに折り畳むことになり、折り目から破ける宿命的な課題が解決されるとともに、一枚の紙面に印刷した大判の地図と同様のものを、狭い車内等でも冊子の地図のように部分的に見ることも、一枚の地図として全体を同時に見ることもでき、当然のことながら収納も容易な地図となり、従来の地図より遥かに利便性の良い地図を提供できることとなる。
【発明を実施するための最良の形態】
【００１０】
本発明は、請求項１記載の地図を切り離す枚数、及び切り離さずに残して継ぎ手として用いる部分、並びに請求項２記載の分割する枚数、及び継ぎ手を用いて貼着する部分については適宜変えることができるため、最良と思われる一例を挙げる。      
【００１１】
請求項１記載の地図の横の辺と平行に切り離す枚数、及び請求項２記載の分割する枚数は三枚とし、三枚の巾を均等にする。
【００１２】
請求項１記載の切り離したそれぞれの面、及び請求項２記載の分割したそれぞれの面ごとに折り畳む巾は、蛇腹状に均等に折り畳むこととするが、左綴じの場合の左端の面、又は右綴じの場合の右端の面は表紙と兼ねるため、均等に折り畳む巾にそれぞれの面を折り畳む際の厚みの分をプラスした巾とし、表紙となる面の隣接する面との境目に縦の折り目を設け、表側に折り畳む形とし表紙とする。    
【００１３】
請求項１記載の、横の折り目の想定線の一部分を切り離さずに残し継ぎ手として用いる部分、及び請求項２記載の部分的な継ぎ手を用いる部分は、それぞれの面を折り畳む際の左端から二番目の面とし、左端の面を表紙とする。尚、右綴じの場合は右端から二番目の面を切り離さずに残す、若しくは部分的な継ぎ手を用いて貼着し、右端の面を表紙とする。
【００１４】
又、表紙を兼ねる継ぎ手は、分割した地図の左端の面、若しくは左端の面と左端から二番目の二面に貼着する。尚、右綴じの場合は右端の面、若しくは右端の面と右端から二番目の二面に貼着する。    
【００１５】
図1は、請求項１記載のそれぞれの横の折り目の想定線６を、一部分を除き横の辺と平行に切り離し、切り離したそれぞれの面ごとに折り目７を設け、折り畳む形とした折り畳み地図１の平面図である。尚、切り離す部分の巾はそれぞれの面を折り畳む際の厚みの分に少々の余裕をもって切り取る。又、切り離さずに残し継ぎ手として用いる部分８も切り取った部分と同じ巾とし、裏側に折り畳む形とする。
【００１６】
図２は、請求項２記載の部分的な継ぎ手３を用いる実施例用の、分割した地図２の貼着する部分を示した平面図である。この分割した地図の点線で囲まれた部分９の裏面に部分的な継ぎ手３を貼着する。尚、継ぎ手を貼着する部分９に隣接して貼着しない部分１０を設ける。この貼着しない部分１０は継ぎ手部分の貼着しない部分１１の二分の一以下の巾とする。                            
【００１７】
図３は、請求項２記載の部分的な継ぎ手３の平面図である。この継ぎ手の貼着しない部分１１を除いて、請求項２記載の分割した地図２の左端から二番目の面の点線で囲まれた部分９の裏面に貼着する。尚、継ぎ手部分の貼着しない部分１１の巾は、分割したそれぞれの面を折り畳む際の厚みの分に少々の余裕をもった巾とし、貼着しないで残して裏側に折り畳む形とする。        
【００１８】
図４は、請求項２記載の表紙を兼ねる継ぎ手５を用いる実施例用の、分割した地図４の貼着する部分を示した平面図である。尚、同図の左端の面１２と左端から二番目の面１３の裏面に、表紙を兼ねる継ぎ手５を貼着する。
【００１９】
図５は、請求項２記載の表紙を兼ねる継ぎ手５の平面図である。この表紙を兼ねる継ぎ手の左側の面１４と分割した地図４の左端の面１２を貼着し、同図の右側の面１５と分割した地図４の左端から二番目の面１３を貼着する。又、同図の折り曲げる部分１６の巾はそれぞれの面を折り畳む際の厚みに応じた巾とする。尚、この実施例は厚手の表紙を用いることにより、地図自体は薄手のものでも意に反して折れ曲がることがなく、使い勝手の良い地図を作ることができる。                
【００２０】
図６は、請求項２記載の部分的な継ぎ手３を用いる実施例の、それぞれの面を折り畳んだ状態の右側面図である。この図が示すように継ぎ手の貼着の仕方を工夫することにより、厚手の地図も二面間の隙間を少なくすることができる。
【００２１】
図７は、請求項２記載の部分的な継ぎ手３を用いる実施例の、全てを折り畳んだ状態の右側面図である。この図が示すように、折り畳む際の横の折り目部分を切り離してあるため、折り目部分に無理な力がかからずに折り畳むことができ、折り目から破ける宿命的課題を解決することができる。尚、同図の地図側の貼着しない部分１０を設けることにより、地図を開いたときの二面間の隙間を少なくし、二面間の繋がりの良い地図となる。
【産業上の利用可能性】
【００２２】
本発明に係わる地図は、工業的に量産することが可能であるため、産業上の利用可能性を有する。
【図面の簡単な説明】
【００２３】
【図１】請求項１記載の、それぞれの横の折り目の想定線の一部分を切り離さずに残し、継ぎ手として用いる折り畳み地図の平面図である。
【図２】請求項２記載の、部分的な継ぎ手を用いる実施例用の、貼着する部分を示した分割した地図の平面図である。
【図３】請求項２記載の、部分的な継ぎ手の貼着する部分を示した平面図である。
【図４】請求項２記載の、表紙の一部を継ぎ手と兼ねる実施例用の、貼着する部分を示した分割した地図の平面図である。
【図５】請求項２記載の、表紙を兼ねる継ぎ手の貼着する部分を示した平面図である。
【図６】請求項２記載の、部分的な継ぎ手を用いる実施例の、それぞれの面を折り畳んだ状態の右側面図である。
【図７】請求項２記載の、部分的な継ぎ手を用いる実施例の、全てを折り畳んだ状態の右側面図である。
【符号の説明】
【００２４】
１    請求項１記載の折り畳み地図  
２    部分的な継ぎ手を用いる実施例用の分割した地図
３    部分的な継ぎ手
４    表紙を兼ねる継ぎ手を用いる実施例用の分割した地図
５    表紙を兼ねる継ぎ手
６    横の折り目の想定線
７    折り目
８    切り離さずに残して継ぎ手として用いる部分  
９    点線で囲まれた部分的な継ぎ手を貼着する部分
１０  部分的な継ぎ手を貼着する部分に設ける地図側の貼着しない部分
１１  部分的な継ぎ手に設ける貼着しない部分
１２  表紙を兼ねる継ぎ手に用いる分割した地図の左端の面
１３  表紙を兼ねる継ぎ手に用いる分割した地図の左端から二番目の面
１４  表紙を兼ねる継ぎ手の左側の面
１５  表紙を兼ねる継ぎ手の右側の面
１６  表紙を兼ねる継ぎ手の折り曲げる部分
【図１】
2007086388.tif 000003
【図２】
2007086388.tif 000004
【図３】
2007086388.tif 000005
【図４】
2007086388.tif 000006
【図５】
2007086388.tif 000007
【図６】
2007086388.tif 000008
【図７】
2007086388.tif 000009